(57)【要約】【課題】  播種後の栽培過程における間引き作業が簡便迅速にでき、また間引き分についても同等の栽培条件下で栽培して完全な有効利用を図るとともに栽培効率のよい栽培トレーを用いた野菜栽培方法及び栽培ユニットを提供する。【解決手段】  栽培トレー１、１１は、等間隔複数列Ａ、Ｂ方向とそれと交差する等間隔複数列Ｃ、Ｄ方向との交わる点に植え込み部２と抜き孔３とを何れの方向にも交互に設けてある。栽培トレー１、１１を２枚重ねにして、重ね合わせた上の栽培トレー１の植え込み部２を下の栽培トレー１１の抜き孔３に挿通するとともに、下の栽培トレー１１の植え込み部２を上の栽培トレー１の抜き孔３から露出させて栽培ユニット５を形成する。栽培ユニット５に播種した後、適時に上の栽培トレー１を下の栽培トレー１１から離脱させてそれぞれの栽培トレー１、１１に分離して野菜の生育を続ける。【選択図】図１
2008035734.tif 000002
【特許請求の範囲】
【請求項１】
栽培トレーを用いて野菜を生育させる野菜栽培方法であって、
栽培に用いる栽培トレーは、等間隔複数列とそれと交差する等間隔複数列との交わる点に植え込み部と抜き孔とを何れの方向にも交互に設けてあり、
この栽培トレーを２枚重ねにして、重ね合わせた上の栽培トレーの植え込み部を下の栽培トレーの抜き孔に挿通するとともに下の栽培トレーの植え込み部を上の栽培トレーの抜き孔から露出させて栽培ユニットを形成し、
この栽培ユニットに播種した後、
次いで適時に上の栽培トレーを下の栽培トレーから離脱させてそれぞれの栽培トレーに分離して野菜の生育を続けること
を特徴とする栽培トレーを用いた野菜栽培方法。
【請求項２】
請求項１の栽培トレーを用いて野菜を生育させる野菜栽培方法に用いる栽培ユニットであって、
栽培に用いる栽培トレーは、等間隔複数列とそれと交差する等間隔複数列との交わる点に植え込み部と抜き孔とを何れの方向にも交互に設けてあり、
この栽培トレーを２枚重ねにして、重ね合わせた上の栽培トレーの植え込み部を下の栽培トレーの抜き孔に挿通するとともに下の栽培トレーの植え込み部を上の栽培トレーの抜き孔から露出させた栽培ユニットを形成し、
この集合栽培ユニットは、上の栽培トレーを下の栽培トレーから離脱させてそれぞれの栽培トレーに分離できるように構成されていること
を特徴とする栽培トレーを用いた野菜栽培に用いる栽培ユニット。
【発明の詳細な説明】
【技術分野】
【０００１】
本発明は、葉野菜やハーブなどを栽培トレーを用いて栽培する野菜栽培方法及び栽培ユニットに関するものである。
【背景技術】
【０００２】
葉野菜やハーブ、すなわちターサイ、ミズナ、オークリーレタス、ガーデンレタス、ホウレンソウ、コマツナ、ルッコラ、グリーンマスタード、レッドビート、レッドマスタード、デトロイト、ケールなどの幼葉はベビーリーフと総称されるが、ベビーリーフの栽培には、多数の植え込み部を設けた栽培トレーを用いて栽培する方法や育苗ポットを用いる方法がある。
【０００３】
ベビーリーフなどの栽培に、枠状ケースに縦横方向に整列させた育苗ポットを用い、整列させた育苗ポットを枠状ケースから選択的に抜き取る方法は、特開２００２−１３６２２８号公報に、搬送可能な栽培ユニットを多数用いる方法は、特開平９−４７１７０号公報に、育苗室に多数の可動枠を配列する移動式作物栽培方法は、特開平６−２７６８６９号公報に、個々に分離可能な鉢体を多数連接集合させた育苗移植栽培方法は、特開平７−３０８１２５号公報に、水耕栽培において栽培間隔を調整できるようにした装置は、特開２０００−１０６７７５号公報にそれぞれ記載されている。
【特許文献１】特開２００２−１３６２２８号公報
【特許文献２】特開平９−４７１７０号公報
【特許文献３】特開平６−２７６８６９号公報
【特許文献４】特開平７−３０８１２５号公報
【特許文献５】特開２０００−１０６７７５号公報
【発明の開示】
【発明が解決しようとする課題】
【０００４】
栽培トレーを用いたベビーリーフの栽培においては、トレーの栽培面に均等に播種して発芽生育させるが、生育が進むにしたがって最適な栽培間隔を保つ必要があるため、適時に間引きをしなければならないが、そのための作業は手間がかかるうえ非効率的でもあり、また間引いたものはそのほとんどが廃棄処分されて有効利用が図られていないのが実情である。
【０００５】
従来、栽培トレーを用いた野菜栽培方法において、生育の途中での間引き作業を簡素化する手段としては、例えば特開２００２−１３６２２８号公報において紹介されているように、栽培ポットを集団で抜き取る方法や１つずつ抜き取る方法が知られているが、そのための装置は構成が複雑であって取扱いも容易でないなどの難点がある。
【０００６】
そこで本発明は、等間隔複数列とそれと交差する等間隔複数列との交わる点に植え込み部と抜き孔とを何れの方向にも交互に設けた栽培トレーを２枚重ねにして、重ね合わせた上の栽培トレーの植え込み部を下の栽培トレーの抜き孔に挿通するとともに下の栽培トレーの植え込み部を上の栽培トレーの抜き孔から露出させて集合栽培ユニットを形成し、この集合栽培ユニットに播種した後、次いで適時に上の栽培トレーを下の栽培トレーから離脱させてそれぞれの栽培ユニットとして野菜の生育を続けることにより、播種後の栽培過程における間引き作業が簡便迅速にでき、また間引き分についても同等の栽培条件下で栽培して完全な有効利用を図るとともに栽培効率を大きく向上させることができる栽培トレーを用いた野菜栽培方法及びそれに用いる栽培ユニットを提供することを目的とするものである。
【課題を解決するための手段】
【０００７】
上記目的を達成するための請求項１に係る発明は、栽培トレーを用いて野菜を生育させる野菜栽培方法であって、栽培に用いる栽培トレーは、等間隔複数列とそれと交差する等間隔複数列との交わる点に植え込み部と抜き孔とを何れの方向にも交互に設けてあり、この栽培トレーを２枚重ねにして、重ね合わせた上の栽培トレーの植え込み部を下の栽培トレーの抜き孔に挿通するとともに下の栽培トレーの植え込み部を上の栽培トレーの抜き孔から露出させて集合栽培ユニットを形成し、この集合栽培ユニットに播種した後、次いで適時に上の栽培トレーを下の栽培トレーから離脱させてそれぞれの栽培ユニットとして野菜の生育を続けることを特徴とする栽培トレーを用いた野菜栽培方法である。
【０００８】
請求項２に係る発明は、請求項１の栽培トレーを用いて野菜を生育させる野菜栽培方法に用いる栽培トレーであって、栽培に用いる栽培トレーは、等間隔複数列とそれと交差する等間隔複数列との交わる点に植え込み部と抜き孔とを何れの方向にも交互に設けてあり、この栽培トレーを２枚重ねにして、重ね合わせた上の栽培トレーの植え込み部を下の栽培トレーの抜き孔に挿通するとともに下の栽培トレーの植え込み部を上の栽培トレーの抜き孔から露出させた集合栽培ユニットを形成し、この集合栽培ユニットは、上の栽培トレーを下の栽培トレーから離脱させてそれぞれの栽培ユニットとすることを特徴とする栽培トレーを用いた野菜栽培に用いる栽培ユニットである。
【発明の効果】
【０００９】
本発明によれば、等間隔複数列とそれと交差する等間隔複数列との交わる点に植え込み部と抜き孔とを何れの方向にも交互に設けた栽培トレーを２枚重ねにして、重ね合わせた上の栽培トレーの植え込み部を下の栽培トレーの抜き孔に挿通するとともに下の栽培トレーの植え込み部を上の栽培トレーの抜き孔から露出させて集合栽培ユニットを形成し、この集合栽培ユニットに播種した後、次いで適時に上の栽培トレーを下の栽培トレーから離脱させてそれぞれの栽培ユニットとして野菜の生育を続けることにより、播種後の栽培過程における間引き作業が簡便迅速にでき、また間引き分についても同等の栽培条件下で栽培して完全な有効利用を図るとともに栽培効率を大きく向上させることができる効果が得られる。
【発明を実施するための最良の形態】
【００１０】
図１は本発明に係る栽培トレーを用いた野菜の栽培方法の実施に用いる栽培トレーの斜視図、図２は図１に示す栽培トレーを２枚重ねにして構成した栽培ユニットの斜視図、図３は図２に示す栽培ユニットの播種して発芽した状態を示す斜視図、図４は図３に示す状態から上の栽培トレーを下の栽培トレーから離脱させてそれぞれの栽培ユニットとして野菜の生育を続ける状態を示す斜視図、図５は図２、図３に示す栽培ユニットの一部断面図、図６は本発明に係る栽培トレーを用いた野菜栽培方法を示すフローチャートである。
【００１１】
図１に示すように、栽培に用いる栽培トレー１は、左端Ａ及び右端Ｂ方向の等間隔複数列と、それと交差する前端Ｃ及び後端Ｄ方向の等間隔複数列との交わる点に植え込み部２と抜き孔３とを何れの方向にも１つおき交互に一体に設けてある。植え込み部２は上端が開口した鉢状の凹部であり、その底面には灌水孔１３が備えられている。この灌水孔１３は植込み部２内部への灌水、排水を促すものでありその形状は円形の孔や、図５に示すようにその底面と側面の一部に及ぶ薄幅の溝形状であるとよい。抜き孔３は植え込み部２の開口面に対応する大きさの透孔である。栽培トレー１には、その左右端に手掛け部４、４が形成されている。
【００１２】
本発明に係る栽培トレーを用いた野菜栽培方法においては、図２に示すように、前記栽培トレー１を２枚重ねにして栽培ユニット５を構成して用いるが、重ね合わせた上の栽培トレー１と下の栽培トレー１１は、その形状、寸法及び構成が全く同等のものである。栽培ユニット５は、上の栽培トレー１の植え込み部２を下の栽培トレー１１の抜き孔３に挿通するとともに下の栽培トレー１１の植え込み部２を上の栽培トレー１の抜き孔３から露出させるようにし、そして栽培トレー１の裏面と栽培トレー１１の表面が密着して重ね合わせて構成されている（図５参照）。
【００１３】
図１に示すように、栽培トレー１、１１は、その左端Ａ及び右端Ｂ方向の等間隔複数列を５列に、前端Ｃ及び後端Ｄ方向の等間隔複数列を１０列のものであるが、上の栽培トレー１と下の栽培トレー１１とも形状、寸法及び構成が全く同等のものであるから、上の栽培トレー１を下の栽培トレー１１にズレを生じさせることなく重ね合わせるには、栽培トレー１、１１の等間隔複数列及びそれと交差する等間隔複数列の一方を奇数列かつ他方列を偶数列に構成する必要があり、上の栽培トレー１を下の栽培トレー１１に重ね合わせるには、上の栽培トレー１をその左右端Ａ、Ｂを図１に示すように１８０°反転させて重ね合わせれば、図２に示すようにズレを生じさせることなく一面状の栽培ユニット５を構成することができる。
【００１４】
図２に示すように構成した栽培ユニット５には、図３に示すようにその全体にわたって均等に播種して発芽を待ち、図４に示すように上の栽培トレー１を下の栽培トレー１１から離脱させてそれぞれの栽培トレー１、１１に分離して野菜の生育を続けるが、分離された栽培トレー１、１１は、それぞれの植え込み部２の間隔が抜き孔３を挟んで離れているので、それぞれの栽培トレー１、１１では何れも間引きを施した状態で良好に生育を続けられる。
【００１５】
本発明は、栽培トレー１１の上方から栽培トレー１を重ね合わせて灌水ベンチ１０に配置しているので栽培トレー１の植込み部２の底面は灌水ベンチ１０の表面から僅かに浮いた状態となり、一方栽培トレー１１の植込み部２の底面は灌水ベンチ１０の表面に密着した状態になるが、図５に示すように植込み部２の底面と側面の一部に及ぶ薄幅の溝形状の灌水孔１３を備えていることにより灌水ベンチ１０の表面に栽培トレー１１の植込み部２の底面が密着しても良好に灌水や排水を行うことが可能であり栽培トレー１と栽培トレー１１を重ね合わせても双方とも同一の栽培環境にすることが可能になるため良好な生育を行うことができる。
【００１６】
本発明に係る栽培トレー１を用いた野菜栽培方法の一態様を図６に示す。図６に示すように、上の栽培トレー１を下の栽培トレー１１に重ね合わせて栽培ユニット５を構成し、栽培ユニット５の全面にわたっている植え込み部２に、培土機６によりピートモスなどの床土を充填し（１〜２）、次いで栽培ユニット５に、播種機７により均等に播種する（３）。播種した栽培ユニット５は棚台車８に積載し（４）、発芽室９で発芽させる（５）。発芽後は発芽室９から棚台車８を搬出して（６）、棚台車８に積載されている栽培ユニット５を降ろし（７）、上の栽培トレー１を下の栽培トレー１１から分離させたうえ（８）、栽培トレー１、１１をともに灌水ベンチ１０に配列して（９）、栽培室１２でともに生育させた後（１０）、栽培室１２から搬出して（１１）、栽培した野菜を収穫する（１２）。尚、これらの一連の行程は栽培ハウス内で行ってもよい。
【産業上の利用可能性】
【００１７】
本発明に係るトレーを用いた野菜栽培方法及び栽培ユニットは、特にベビーリーフの単種栽培はもとより混種栽培にも適しているが、広く種々の野菜や花卉の幼苗の生産などにも好適である。よって、本発明に係る野菜栽培方法及び栽培ユニットは、広範囲にわたる利用可能性が期待できるものである。
【図面の簡単な説明】
【００１８】
【図１】本発明に係る栽培トレーを用いた野菜の栽培方法の実施に用いる栽培トレーの斜視図である。
【図２】図１に示す栽培トレーを２枚重ねにして構成した栽培ユニットの斜視図である。
【図３】図２に示す栽培ユニットの播種して発芽した状態を示す斜視図である。
【図４】図３に示す状態から上の栽培トレーを下の栽培トレーから離脱させてそれぞれの栽培ユニットとして野菜の生育を続ける状態を示す斜視図である。
【図５】図２、図３に示す栽培トレーを２枚重ねにして構成した栽培ユニットの一部断面図である。
【図６】本発明に係る栽培トレーを用いた野菜栽培方法を示すフローチャートである。
【符号の説明】
【００１９】
１、１１  栽培トレー
２  植え込み部
３  抜け穴
４、４  手掛け部
５  栽培ユニット
６  培土機
７  播種機
８  棚台車
９  発芽室
１０  灌水ベンチ
１２  栽培室
１３  灌水孔
Ａ  左端
Ｂ  右端
Ｃ  前端
Ｄ  後端
【図１】
2008035734.tif 000003
【図２】
2008035734.tif 000004
【図３】
2008035734.tif 000005
【図４】
2008035734.tif 000006
【図５】
2008035734.tif 000007
【図６】
2008035734.tif 000008